(57)【特許請求の範囲】
【請求項１】
紙葉状の媒体を搬送する第１搬送路、第２搬送路及び第３搬送路を互いに交差させるように形成する搬送ガイドと、
回動可能であり、回動された角度に応じて、前記第１搬送路、前記第２搬送路及び前記第３搬送路のうち選択された２の搬送路の間で前記媒体の進行方向を切り替えるブレードと、
前記第１搬送路及び前記第２搬送路をそれぞれ挟んで互いに対向する複数のローラにより構成され、駆動力の伝達に応じて回転し前記媒体をそれぞれ進行させる第１ローラ対及び第２ローラ対と、
前記第３搬送路を挟んで互いに対向する複数のローラにより構成され、駆動力の伝達に応じて回転し且つ前記媒体を進行させる第３ローラ対と、
前記第１ローラ対の各ローラ及び前記第２ローラ対の各ローラそれぞれの回転方向を、予め定められた組み合わせとなるように、前記第１ローラ対及び前記第２ローラ対に駆動力を供給する第１駆動部と、
前記第１ローラ対及び前記第２ローラ対と別に、前記第３ローラ対に駆動力を供給する第２駆動部と、
前記第１駆動部、前記第２駆動部及び前記ブレードを制御する制御部と
を具え、
前記制御部は、前記第１搬送路から搬送されてくる前記媒体を、前記ブレードにより前記第２搬送路又は前記第３搬送路へ振り分けて進行させるよう切り替えさせ、前記第２搬送路から搬送されてくる前記媒体を、前記ブレードにより前記第１搬送路又は前記第３搬送路へ振り分けて進行させるよう切り替えさせ、前記第３搬送路から搬送されてくる前記媒体を、前記ブレードにより前記第１搬送路にのみ進行させるよう切り替えさせる
ことを特徴とする搬送路切替装置。
【請求項２】
前記制御部は、前記第１搬送路から前記媒体が搬送されてくる場合と、前記第２搬送路から前記媒体が搬送されてくる場合との間で、前記第１駆動部による前記第１ローラ対及び前記第２ローラ対の回転方向を反転させる一方、前記第２駆動部による前記第３ローラ対の回転方向を維持する
ことを特徴とする請求項１に記載の搬送路切替装置。
【請求項３】
利用者との間で取引する紙葉状の媒体を搬送する第１搬送路、第２搬送路及び第３搬送路を互いに交差させるように形成する搬送ガイドと、
回動可能であり、回動された角度に応じて、前記第１搬送路、前記第２搬送路及び前記第３搬送路のうち選択された２の搬送路の間で前記媒体の進行方向を切り替えるブレードと、
前記第１搬送路及び前記第２搬送路をそれぞれ挟んで互いに対向する複数のローラにより構成され、駆動力の伝達に応じて回転し前記媒体をそれぞれ進行させる第１ローラ対及び第２ローラ対と、
前記第３搬送路を挟んで互いに対向する複数のローラにより構成され、駆動力の伝達に応じて回転し且つ前記媒体を進行させる第３ローラ対と、
前記第１ローラ対の各ローラ及び前記第２ローラ対の各ローラそれぞれの回転方向を、予め定められた組み合わせとなるように、前記第１ローラ対及び前記第２ローラ対に駆動力を供給する第１駆動部と、
前記第１ローラ対及び前記第２ローラ対と別に、前記第３ローラ対に駆動力を供給する第２駆動部と、
前記第１駆動部、前記第２駆動部及び前記ブレードを制御する制御部と
を具え、
前記制御部は、前記第１搬送路から搬送されてくる前記媒体を、前記ブレードにより前記第２搬送路又は前記第３搬送路へ振り分けて進行させるよう切り替えさせ、前記第２搬送路から搬送されてくる前記媒体を、前記ブレードにより前記第１搬送路又は前記第３搬送路へ振り分けて進行させるよう切り替えさせ、前記第３搬送路から搬送されてくる前記媒体を、前記ブレードにより前記第１搬送路にのみ進行させるよう切り替えさせる
ことを具えることを特徴とする媒体取引装置。
【請求項４】
前記利用者から前記媒体を受け取る受取部と、
前記受取部により受け取った前記媒体を鑑別すると共に、前記第１搬送路と接続された鑑別部と、
前記受取部により受け取った前記媒体を一時的に収納すると共に、前記第２搬送路と接続された一時収納部と、
前記媒体を搬送すると共に、前記第３搬送路と接続された搬送部と
をさらに具え、
前記制御部は、前記受取部により前記利用者から受け取った前記媒体を前記鑑別部により鑑別させ、得られた鑑別結果に応じて前記ブレードにより各媒体を前記第２搬送路又は前記第３搬送路へそれぞれ搬送させるよう制御する
ことを特徴とする請求項３に記載の媒体取引装置。
【請求項５】
前記第１駆動部は、前記第１ローラ対及び前記第２ローラ対に加えて、前記鑑別部内に設けられ前記媒体を搬送する鑑別搬送ローラにも駆動力を供給する
ことを特徴とする請求項４に記載の媒体取引装置。
【請求項６】
前記第１駆動部は、前記第１ローラ対及び前記第２ローラ対に加えて、前記一時収納部内に設けられ前記媒体を搬送する一時収納搬送ローラにも駆動力を供給する
ことを特徴とする請求項４に記載の媒体取引装置。
【請求項７】
前記利用者から受け取り所定の鑑別部において再利用可能性を鑑別された前記媒体を一時的に収納すると共に、前記第２搬送路と接続された一時収納部と、
再利用可能な前記媒体を収納すると共に、前記第３搬送路と接続された媒体収納庫と、
再利用すべきでない前記媒体を収納すると共に、前記第１搬送路と接続されたリジェクト庫と
をさらに具え、
前記制御部は、前記利用者から受け取り前記一時収納部に収納されている前記媒体のうち、
前記鑑別部により再利用可能と鑑別されたものを前記第２搬送路から前記第３搬送路へ搬送して前記媒体収納庫へ収納させ、前記鑑別部により再利用すべきでないと鑑別されたものを前記第２搬送路から前記第１搬送路へ搬送して前記リジェクト庫へ収納させるよう制御する
ことを特徴とする請求項３に記載の媒体取引装置。
【請求項８】
前記第３搬送路には、前記媒体を搬送する搬送部を介して複数の前記媒体収納庫が接続され、
前記第２駆動部は、前記第３ローラ対に加えて、前記搬送部内に設けられた複数のローラにも駆動力を供給する
ことを特徴とする請求項７に記載の媒体取引装置。
【発明の詳細な説明】
【技術分野】
【０００１】
本発明は搬送路切替装置及び媒体取引装置に関し、例えば媒体として紙幣を取り扱う現金自動預払機（ＡＴＭ：Automatic Teller Machine）等に適用して好適なものである。
【背景技術】
【０００２】
従来、金融機関等で使用される現金自動預払機等においては、利用者との取引内容に応じて、例えば利用者に紙幣や硬貨等の現金を入金させ、また利用者へ現金を出金するものが広く普及している。
【０００３】
現金自動預払機としては、例えば利用者との間で紙幣の受け渡しを行う接客部と、紙幣を搬送する搬送部と、投入された紙幣を鑑別する認識部と、投入された紙幣を一時的に保留する一時保留部と、紙幣を金種ごとに格納する紙幣収納庫と、全体を制御する制御部等とを有するものが提案されている。
【０００４】
この現金自動預払機は、例えば入金取引において、利用者により接客部に投入された紙幣を１枚ずつに分離して取り込み、搬送部により認識部へ搬送して鑑別させ、その鑑別結果を基に制御部によって搬送先を決定した上で一時保留部に収納させる。その後現金自動預払機は、一時保留部に収納している紙幣をそれぞれ決定された搬送先へ搬送して収納させる。
【０００５】
このうち搬送部は、例えば搬送路に沿って紙幣を案内する搬送ガイド、並びに紙幣に駆動力を伝達するローラやベルト等により構成される。また搬送部は、３以上の搬送路同士の接続部分に、紙幣の搬送方向を切り替える切替部を有している。この切替部としては、例えば紙幣を案内するブレードと呼ばれる部材を回動させることにより、紙幣の進行方向を切り替えるものがある。
【０００６】
また切替部としては、比較的単純に構成され、紙幣の進行方向を２通りに切替可能なものの他、比較的複雑に構成され、紙幣の進行方向を３通り以上に切替可能なものも提案されている（例えば、特許文献１参照）。
【先行技術文献】
【特許文献】
【０００７】
【特許文献１】特開２００９−２４９１７４号公報（第１図）
【発明の概要】
【発明が解決しようとする課題】
【０００８】
ところで搬送部では、搬送路を挟んで対向するように２のローラを配置し（以下これをローラ対と呼ぶ）、その少なくとも一方にモータ等の駆動部から駆動力を供給して回転させることにより、紙幣に駆動力を伝達して搬送することができる。また切替部では、各搬送路におけるブレードの近傍にローラ対をそれぞれ配置しており、紙幣を進行させたい２の搬送路の間で、一方のローラ対から他方のローラ対へ紙幣を受け渡す。
【０００９】
この場合、紙幣の搬送元となる搬送路、すなわち切替部に紙幣を搬入する搬送路のローラ対は、周側面の当接部分をブレードへ近づけていく回転モードで回転する。また、紙幣の搬送先となる搬送路、すなわち切替部から紙幣を搬出する搬送路のローラ対は、周側面の当接部分をブレードから遠ざけていく回転モードで回転する。
【００１０】
例えば３本の搬送路が接続されると共に紙幣の進行方向を３通り以上に切り替える切替部では、各搬送路にローラ対がそれぞれ設けられた場合、各搬送路における紙幣の搬送方向に応じて、３組のローラ対それぞれの回転モードの組み合わせを切り替える必要がある。
【００１１】
しかしながら、仮に３個の駆動部から３組のローラ対にそれぞれ駆動力を伝達する場合、各ローラ対の回転モードを個別に切り替えることができる反面、その構成が複雑になり、また製造コストの増加や保守作業の増加に繋がってしまう、という問題があった。
【００１２】
本発明は以上の点を考慮してなされたもので、簡素な構成により、搬送元及び搬送先の組み合わせを変更し得る媒体搬送装置及び媒体取引装置を提案しようとするものである。
【課題を解決するための手段】
【００１３】
かかる課題を解決するため本発明の搬送路切替装置においては、紙葉状の媒体を搬送する第１搬送路、第２搬送路及び第３搬送路を互いに交差させるように形成する搬送ガイドと、回動可能であり、回動された角度に応じて、第１搬送路、第２搬送路及び第３搬送路のうち選択された２の搬送路の間で媒体の進行方向を切り替えるブレードと、第１搬送路及び第２搬送路をそれぞれ挟んで互いに対向する複数のローラにより構成され、駆動力の伝達に応じて回転し媒体をそれぞれ進行させる第１ローラ対及び第２ローラ対と、第３搬送路を挟んで互いに対向する複数のローラにより構成され、駆動力の伝達に応じて回転し且つ媒体を進行させる第３ローラ対と、第１ローラ対の各ローラ及び第２ローラ対の各ローラそれぞれの回転方向を、予め定められた組み合わせとなるように、第１ローラ対及び第２ローラ対に駆動力を供給する第１駆動部と、第１ローラ対及び第２ローラ対と別に、第３ローラ対に駆動力を供給する第２駆動部と、第１駆動部、第２駆動部及びブレードを制御する制御部とを設け、当該制御部は、第１搬送路から搬送されてくる媒体を、ブレードにより第２搬送路又は第３搬送路へ振り分けて進行させるよう切り替えさせ、第２搬送路から搬送されてくる媒体を、ブレードにより第１搬送路又は第３搬送路へ振り分けて進行させるよう切り替えさせ、第３搬送路から搬送されてくる媒体を、ブレードにより第１搬送路にのみ進行させるよう切り替えさせるようにした。
【００１４】
また本発明の媒体取引装置においては、利用者との間で取引する紙葉状の媒体を搬送する第１搬送路、第２搬送路及び第３搬送路を互いに交差させるように形成する搬送ガイドと、回動可能であり、回動された角度に応じて、第１搬送路、第２搬送路及び第３搬送路のうち選択された２の搬送路の間で媒体の進行方向を切り替えるブレードと、第１搬送路及び第２搬送路をそれぞれ挟んで互いに対向する複数のローラにより構成され、駆動力の伝達に応じて回転し媒体をそれぞれ進行させる第１ローラ対及び第２ローラ対と、第３搬送路を挟んで互いに対向する複数のローラにより構成され、駆動力の伝達に応じて回転し且つ媒体を進行させる第３ローラ対と、第１ローラ対の各ローラ及び第２ローラ対の各ローラそれぞれの回転方向を、予め定められた組み合わせとなるように、第１ローラ対及び第２ローラ対に駆動力を供給する第１駆動部と、第１ローラ対及び第２ローラ対と別に、第３ローラ対に駆動力を供給する第２駆動部と、第１駆動部、第２駆動部及びブレードを制御する制御部とを設け、当該制御部は、第１搬送路から搬送されてくる媒体を、ブレードにより第２搬送路又は第３搬送路へ振り分けて進行させるよう切り替えさせ、第２搬送路から搬送されてくる媒体を、ブレードにより第１搬送路又は第３搬送路へ振り分けて進行させるよう切り替えさせ、第３搬送路から搬送されてくる媒体を、ブレードにより第１搬送路にのみ進行させるよう切り替えさせるようにした。
【００１５】
本発明は、第１搬送路を搬送元とする紙幣の進行路を高速に切り替えて振り分けながら第２搬送路又は第３搬送路を搬送先として搬送する場合と、第２搬送路を搬送元として紙幣の進行路を高速に切り替えて振り分けながら第１搬送路又は第３搬送路を搬送先として搬送する場合との間で、２個の駆動部から駆動力が供給される各ローラ対の回転方向の組み合わせを相違させることができ、それぞれの場合で紙幣を適切に進行させることができる。その一方で本発明は、第３搬送路から搬送されてくる媒体を第１搬送路にのみ進行させれば良く、このとき第２搬送路及び第２ローラ対を使用しないため、第１駆動部からの駆動力により第１ローラ対に合わせて第２ローラ対を回転させると、第２搬送路に向けて媒体を正常に搬送し得なくなるものの、何ら不都合が生じない。このため本発明は、第１ローラ対及び第２ローラ対の双方に第１駆動部から駆動力を供給させれば良い。
【発明の効果】
【００１６】
本発明によれば、簡素な構成により、搬送元及び搬送先の組み合わせを変更し得る媒体搬送装置及び媒体取引装置を実現できる。
【図面の簡単な説明】
【００１７】
【図１】現金自動預払機の構成を示す略線的斜視図である。
【図２】紙幣入出金機の構成を示す略線図である。
【図３】搬送部の構成を示す略線図である。
【図４】第１の実施の形態による一時保留切替部の構成を示す略線図である。
【図５】ローラ対の回転モードを示す略線図である。
【図６】第１の実施の形態による各ローラ対の回転モード及び紙幣の進行経路を示す略線図である。
【図７】第１の実施の形態による駆動力の伝達を示す略線図である。
【図８】入金計数処理における紙幣の搬送を示す略線図である。
【図９】入金収納処理における紙幣の搬送を示す略線図である。
【図１０】出金処理における紙幣の搬送を示す略線図である。
【図１１】第２の実施の形態による各ローラ対の回転モード及び紙幣の進行経路を示す略線図である。
【図１２】第２の実施の形態による駆動力の伝達を示す略線図である。
【発明を実施するための形態】
【００１８】
以下、発明を実施するための形態（以下実施の形態とする）について、図面を用いて説明する。
【００１９】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、利用者（すなわち金融機関の顧客）との間で入金処理や出金処理等の現金に関する取引を行うようになっている。
【００２０】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００２１】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される。また入出金口５は、シャッタを駆動することにより開放又は閉塞するようになっている。因みに紙幣は、例えば長方形の紙で構成されている。
【００２２】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２３】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２４】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２５】
紙幣入出金機１０は、図２に側面図を示すように、内部に媒体としての紙幣に関する種々の処理を行う複数の部分が組み込まれている。紙幣入出金機１０は、大きく分けて、上下方向のほぼ中央よりも上側部分を占める上部ブロック１０Ｕと、その下側部分を占める下部ブロック１０Ｌとにより構成されている。
【００２６】
上部ブロック１０Ｕには、全体を統括制御する紙幣制御部１１、顧客との間で紙幣を授受する入出金部１２、紙幣を各部へ搬送する搬送部１３、紙幣を鑑別する鑑別部１４及び紙幣を一時的に収納する一時保留部１５が設けられている。
【００２７】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２８】
入出金部１２は、上部ブロック１０Ｕ内における前上部に位置している。この入出金部１２は、利用者から受け取った紙幣及び利用者へ引き渡す紙幣を収容する収容器１２Ａを内部に有しており、その上方をシャッタ１２Ｂにより開閉し得るようになっている。収容器１２Ａ内には、複数の紙幣が紙面を前後方向に向けて集積された状態で収容される。
【００２９】
入出金部１２における収容器１２Ａの前下方には、取込放出部１２Ｃが設けられている。取込放出部１２Ｃは、紙幣を案内する搬送ガイドや回転する複数のローラ、及び切替器等により構成されており、紙幣制御部１１の制御に基づき、取込モード及び放出モードといった２種類の動作モードを切り替えて動作する。すなわち取込放出部１２Ｃは、取込モードにおいて、収容器１２Ａ内の紙幣を１枚ずつに分離して所定の時間間隔毎に下方へ送り出し、搬送部１３に引き渡す。また取込放出部１２Ｃは、放出モードにおいて、搬送部１３から受け取った紙幣を収容器１２Ａ内へ放出して集積させる。
【００３０】
搬送部１３は、上部ブロック１０Ｕ内における下端部分に、すなわち紙幣入出金機１０全体における上下のほぼ中央を前後方向に横切るように位置しており、全体的に上下方向に薄く前後方向に細長い形状となっている。この搬送部１３内には、紙幣を案内する搬送ガイドや多数の回転するローラ等が適宜配置されており、紙幣の短手方向を進行方向として、主に前後方向に沿って搬送させるような直線状の搬送路が形成されている。
【００３１】
搬送部１３は、図３に拡大図を示すように、大きく分けて、中央付近に配置された一時保留切替部２０と、当該一時保留切替部２０の前側及び後側にそれぞれ配置された前搬送部２１及び後搬送部２２により構成されている。換言すれば、一時保留切替部２０は、前搬送部２１及び後搬送部２２と、後述する一時保留部１５内の一時保留搬送路１５Ｗにおけるそれぞれの紙幣の搬送路が交差する箇所に設けられている。この一時保留切替部２０は、紙幣制御部１１の制御に基づき、前搬送部２１、後搬送部２２及び一時保留搬送路１５Ｗといった３本の搬送部のうち、選択された２本の搬送部の間で紙幣を進行させるよう、紙幣の搬送経路を切り替えるようになっている（詳しくは後述する）。
【００３２】
また搬送部１３内には、一時保留切替部２０の他に複数の切替部が配置されている。各切替部は、回動可能なブレード及びその周囲に配置された複数のローラにより構成されている。ブレードは、所定のアクチュエータにより駆動され、回動して傾斜方向を変化させることで、紙幣の搬送方向を２通りに切り替える。各ローラは、紙幣の搬送路を挟んで互いに対向するローラ対を形成するように配置されている。この切替部は、紙幣制御部１１の制御に従い、各紙幣の搬送先に応じてブレードを回動させて傾斜方向を変化させると共に各ローラを所定の回転方向へ回転させることにより、紙幣の搬送方向を適宜切り替えて所望の搬送先へ搬送する。
【００３３】
前搬送部２１内には、前方から順に、リジェクト切替部２４、鑑別部１４及び切替部２５が直列に配置されると共に、これらの間が比較的短い搬送短路によりそれぞれ接続されており、全体として前後方向に沿った概ね直線状の前搬送路２１Ｗが形成されている。リジェクト切替部２４及び切替部２５は、それぞれ紙幣制御部１１の制御に基づき、紙幣の搬送経路を適宜切り替えるようになっている。
【００３４】
後搬送部２２内には、後方から順に、切替部２７、２８及び２９がほぼ直列に配置されており、前搬送部２１と同様、これらの間が比較的短い搬送短路によりそれぞれ接続されることで、全体として前後方向に沿った概ね直線状の後搬送路２２Ｗが形成されている。切替部２７〜２９は、それぞれ紙幣制御部１１の制御に基づき、紙幣の搬送経路を適宜切り替えるようになっている。また前搬送部２１及び後搬送部２２は、それぞれ搬送路中に数枚程度の紙幣を留めて貯留し得るようになっている。
【００３５】
鑑別部１４は、前搬送部２１内に組み込まれており、紙幣の搬送経路上で入出金部１２と一時保留切替部２０との間に位置している。この鑑別部１４は、内部に厚みセンサ、イメージセンサ及び磁気センサといった複数種類のセンサが組み込まれており、搬送される紙幣の金種、真偽、正損（損傷しているか否か）等を認識し、その認識結果を紙幣制御部１１へ送出する。
【００３６】
一時保留部１５（図２）は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。さらに一時保留部１５内には、搬送部１３の一時保留切替部２０との間で紙幣を案内する搬送ガイドに沿って、一時保留搬送路１５Ｗが形成されている。また当該一時保留搬送路１５Ｗを両側から挟む位置には、回転により紙幣に駆動力を伝達するローラ１５Ｒ１及び１５Ｒ２（以下、両者をまとめてローラ対１５Ｒと呼ぶ）が配置されている。
【００３７】
下部ブロック１０Ｌは、その全ての周側面が頑強な金庫筐体１０Ｓにより覆われている。この金庫筐体１０Ｓの内部には、後側から前側へ向けて、５個の紙幣収納庫１６（１６Ａ、１６Ｂ、１６Ｃ、１６Ｄ及び１６Ｅ）並びにリジェクト庫１７が設けられている。因みに紙幣収納庫１６及びリジェクト庫１７は、金庫筐体１０Ｓに対し着脱可能に構成されている。
【００３８】
各紙幣収納庫１６は、何れも同様に構成されており、上下方向に長い直方体状に形成されると共に内部に紙幣を集積して収納する空間を有している。また各紙幣収納庫１６は、それぞれ収納すべき紙幣の金種が予め設定されている。この紙幣収納庫１６は、鑑別部１４及び紙幣制御部１１により損傷の程度が小さく再利用が可能であると判断された紙幣が、その金種に応じて搬送部１３により搬送されてくると、当該紙幣を内部に集積して収納する。また紙幣収納庫１６は、紙幣制御部１１から紙幣を繰り出す指示を受け付けると、集積している紙幣を１枚ずつに分離して繰り出し、搬送部１３に受け渡す。
【００３９】
リジェクト庫１７は、上下方向に長い直方体状に形成されると共に内部に紙幣を集積して収納する空間を有している。このリジェクト庫１７は、鑑別部１４及び紙幣制御部１１により損傷の程度が大きく再利用すべきで無いと判断された紙幣（いわゆるリジェクト紙幣）が搬送部１３により搬送されてくると、当該紙幣を内部に収納する。
【００４０】
このように、紙幣入出金機１０に設けられた搬送部１３は、一時保留切替部２０の前側、上側及び後側にそれぞれ前搬送部２１、後搬送部２２及び後搬送部２２を接続しており、当該一時保留切替部２０により紙幣の搬送経路を切り替えるようになっている。
【００４１】
［１−２．一時保留切替部の構成］
次に、一時保留切替部２０の構成について説明する。図４に模式的な拡大図を示すように、一時保留切替部２０は、ブレード３１、３個の搬送ガイド３２Ａ、３２Ｂ及び３２Ｃ、並びに３組のローラ対３３Ａ、３３Ｂ及び３３Ｃにより構成されている。
【００４２】
ブレード３１は、左右方向から見て二等辺三角形状若しくは楔形となっており、左右方向に貫通する回動軸３１Ｘを中心に回動する。このブレード３１は、紙幣制御部１１（図２）の制御に基づき、図示しないアクチュエータから駆動力が伝達されて回動し、その回動後の状態（傾斜角度）を維持する。因みにブレード３１は、左右方向に薄い板状でなる多数の部材が左右に所定間隔を空けながら回動軸３１Ｘに挿通されている。
【００４３】
搬送ガイド３２Ａ、３２Ｂ及び３２Ｃは、いずれもブレード３１側に凸となるように湾曲した板状部材でなり、ブレード３１の周囲を前上方、前下方及び後方の３方向から囲むようにそれぞれ配置されている。各搬送ガイド３２は、何れも回動軸３１Ｘから所定の距離だけ離れており、ブレード３１が所定の傾斜角度に回動された際に、当該ブレード３１を左右方向から見たときの２つの等辺に相当する斜面との間に比較的狭い隙間でなる搬送路を形成し、この搬送路に沿って紙幣を進行させる。因みに各搬送ガイド３２には、ブレード３１や後述するローラ等との干渉を回避するためのスリットや孔部が適宜設けられている。
【００４４】
また、ブレード３１の前方、後上方及び後下方には、隣接する搬送ガイド３２同士の間に搬送路３４Ｊ、３４Ｋ及び３４Ｌがそれぞれ形成されている。この搬送路３４Ｊ、３４Ｋ及び３４Ｌは、前方の前搬送部２１における前搬送路２１Ｗ、後方の後搬送部２２における後搬送路２２Ｗ及び上方の一時保留部１５における一時保留搬送路１５Ｗとそれぞれ接続されている。
【００４５】
ローラ対３３Ａは、搬送路３４Ｊの両側に配置されたローラ３３Ａ１及び３３Ａ２により構成されている。ローラ３３Ａ１は、左右方向に薄い複数の円板状の部材により構成されており、搬送ガイド３２Ａに形成された孔部（図示せず）から搬送路３４Ｊ内へその一部を突出させている。この円板状の部材は、左右方向に沿った回転軸３５Ａ１により、左右方向に間隔を空けて挿通されており、この回転軸３５Ａ１と共に双方向へ回転し得るようになっている。
【００４６】
ローラ３３Ａ２は、ローラ３３Ａ１と同様に構成されており、左右方向に沿った回転軸３５Ａ２と共に双方向へ回転し得るようになっている。またローラ３３Ａ２は、図示しない付勢部材によりローラ３３Ａ１に向けて付勢されており、搬送路３４Ｊ内で当該ローラ３３Ａ１と互いの周側面を当接させている。さらにローラ３３Ａ１は、後述する駆動部から駆動力の供給を受けると共に、その駆動方向に応じて回転する。ローラ３３Ａ２は、ローラ３３Ａ１と当接することにより、当該ローラ３３Ａ１に従動して回転する。
【００４７】
このためローラ対３３Ａは、搬送路３４Ｊ内を紙幣が搬送されてくると、この紙幣の両面をローラ３３Ａ１及び３３Ａ２により挟持することができる。このときローラ対３３Ａは、ローラ３３Ａ１及び３３Ａ２を回転させることにより、挟持している紙幣に対し駆動力を伝達し、搬送路３４Ｊに沿って進行させることができる。
【００４８】
ローラ対３３Ａは、図５（Ａ）に示すように、ローラ３３Ａ１を時計方向Ｒ１に回転させると共にローラ３３Ａ２を反時計方向Ｒ２に回転させることにより、紙幣をブレード３１に近づける方向である搬入方向Ｅ１へ進行させることができる。以下、このようにローラ対３３Ａのローラ３３Ａ１及び３３Ａ２をそれぞれ時計方向Ｒ１及び反時計方向Ｒ２に回転させ、紙幣をブレード３１に近づけるよう搬送する回転モードを、搬入回転モードＭ１と呼ぶ。
【００４９】
またローラ対３３Ａは、図５（Ｂ）に示すように、ローラ３３Ａ１を反時計方向Ｒ２に回転させると共にローラ３３Ａ２を時計方向Ｒ１に回転させることにより、紙幣をブレード３１から遠ざける方向である搬出方向Ｅ２へ進行させることができる。以下、このようにローラ対３３Ａのローラ３３Ａ１及び３３Ａ２をそれぞれ反時計方向Ｒ２及び時計方向Ｒ１に回転させ、紙幣をブレード３１から遠ざけるよう搬送する回転モードを、搬出回転モードＭ２と呼ぶ。
【００５０】
すなわちローラ対３３Ａは、搬送路３４Ｊを介して接続されている前搬送部２１が紙幣の搬送元であり上流側となる場合には、搬入回転モードＭ１で回転する。またローラ対３３Ａは、これと反対に、前搬送部２１が紙幣の搬送先であり下流側となる場合には、搬出回転モードＭ２で回転する。
【００５１】
ローラ対３３Ｂ及び３３Ｃは、それぞれローラ対３３Ａと同様に構成されている。すなわちローラ対３３Ｂ及び３３Ｃは、それぞれローラ３３Ａ１及び３３Ａ２と対応するローラ３３Ｂ１及び３３Ｂ２並びにローラ３３Ｃ１及び３３Ｃ２により構成されており、それぞれ搬入回転モードＭ１又は搬出回転モードＭ２で回転するようになっている。
【００５２】
すなわち一時保留切替部２０は、ブレード３１の周囲に３本の搬送路３４Ｊ、３４Ｋ及び３４Ｌを互いに交差させるように配置すると共に、それぞれの近傍に配置した３組のローラ対３３Ａ、３３Ｂ及び３３Ｃを、搬入回転モードＭ１又は搬出回転モードＭ２でそれぞれ回転させるようになっている。
【００５３】
かかる構成により一時保留切替部２０は、紙幣制御部１１（図２）の制御に基づき、ブレード３１を所定の傾斜角度に回動させ、３組のローラ対３３Ａ、３３Ｂ及び３３Ｃを、それぞれ搬入回転モードＭ１又は搬出回転モードＭ２で回転させることにより、紙幣の進行方向を切り替えることができる。
【００５４】
例えば図６（Ａ）に示すように、一時保留切替部２０は、ローラ対３３Ａを搬入回転モードＭ１で回転させると共に、ローラ対３３Ｂ及び３３Ｃを搬出回転モードＭ２で回転させた状態で、ブレード３１の傾斜角度を適宜変化させる。これにより一時保留切替部２０は、前搬送部２１（図３）と接続された搬送路３４Ｊから搬送されてくる紙幣を、ブレード３１の傾斜角度に応じて、矢印Ｕ１又はＵ２のように、搬送ガイド３２Ａ又は３２Ｂに沿って進行させ、搬送路３４Ｋ又は搬送路３４Ｌへ搬送することができる。すなわち一時保留切替部２０は、各ローラ対の回転方向を維持したまま、紙幣の搬送先を一時保留部１５（図２）又は後搬送部２２（図３）へ切り替えることができる。
【００５５】
また、図６（Ｂ）に示すように、一時保留切替部２０は、ローラ対３３Ｂを搬入回転モードＭ１で回転させると共に、ローラ対３３Ａ及び３３Ｃを搬出回転モードＭ２で回転させた状態で、ブレード３１の傾斜角度を適宜変化させる。これにより一時保留切替部２０は、一時保留部１５（図２）と接続された搬送路３４Ｋから搬送されてくる紙幣を、ブレード３１の傾斜角度に応じて、矢印Ｕ３又はＵ４のように、搬送ガイド３２Ａ又は３２Ｃに沿って進行させ、搬送路３４Ｊ又は搬送路３４Ｌへ搬送することができる。すなわち一時保留切替部２０は、各ローラ対の回転方向を維持したまま、紙幣の搬送先を前搬送部２１（図３）又は後搬送部２２へ切り替えることができる。
【００５６】
ここで図６（Ａ）及び（Ｂ）を比較すると、一時保留切替部２０は、紙幣を矢印Ｕ１又はＵ２に沿って搬送する場合、並びに紙幣を矢印Ｕ３又はＵ４に沿って搬送する場合の何れであっても、ローラ対３３Ａ及び３３Ｂを互いに反対の回転モードで回転させることになる。このため一時保留切替部２０は、ローラ対３３Ａ及び３３Ｂを互いに独立して回転させる必要が無く、両者の回転方向をまとめて切り替えることが可能となる。その一方で一時保留切替部２０は、ローラ対３３Ａ及び３３Ｂと、ローラ対３３Ｃとの間で、回転方向を互いに独立に切り替える必要がある。
【００５７】
［１−３．駆動力の伝達］
かかる構成に加えて、紙幣入出金機１０の搬送部１３には、図７（Ａ）に示すように、主に当該搬送部１３内の各ローラを回転させるための機構として、前モータ４１、後モータ４２、前駆動伝達部４３及び後駆動伝達部４４が設けられている。前モータ４１及び後モータ４２は、何れも紙幣制御部１１（図２）の制御に基づき、互いに独立して、図中の時計方向又は反時計方向に回転する駆動力をそれぞれ発生させる。
【００５８】
前駆動伝達部４３は、図中に太線で示したように、複数のローラ、ギア及びベルト等の組み合わせにより構成されており、前モータ４１により発生した駆動力を、前搬送部２１内の各ローラ、鑑別部１４内の各ローラ、一時保留切替部２０のローラ３３Ａ１及び３３Ｂ１、並びに一時保留部１５のローラ１５Ｒ１にそれぞれ伝達する。後駆動伝達部４４は、前駆動伝達部４３と同様、複数のローラ、ギア及びベルト等の組み合わせにより構成されており、後モータ４２により発生した駆動力を、後搬送部２２内の各ローラ及び一時保留切替部２０のローラ３３Ｃ１にそれぞれ伝達する。
【００５９】
例えば図７（Ａ）に示したように、前モータ４１が時計方向Ｒ１に回転する場合、一時保留切替部２０のローラ３３Ａ１は、時計方向Ｒ１に回転する。これによりローラ対３３Ａは、搬入回転モードＭ１（図５（Ａ））で回転する。またこのときローラ３３Ｂ１は、反時計方向Ｒ２に回転する。これによりローラ対３３Ｂは、搬出回転モードＭ２（図５（Ｂ））、すなわちローラ対３３Ａと反対の回転モードで回転する。
【００６０】
また図７（Ｂ）に示すように、前モータ４１が反時計方向Ｒ２に回転する場合、一時保留切替部２０のローラ３３Ａ１は、反時計方向Ｒ２に回転する。これによりローラ対３３Ａは、搬出回転モードＭ２（図５（Ｂ））で回転する。またこのときローラ３３Ｂ１は、時計方向Ｒ１に回転する。これによりローラ対３３Ｂは、搬入回転モードＭ１（図５（Ａ））、すなわちローラ対３３Ａと反対の回転モードで回転する。
【００６１】
さらに、図７（Ａ）及び（Ｂ）に示したように、後モータ４２が反時計方向Ｒ２に回転する場合、一時保留切替部２０のローラ３３Ｃ１は、反時計方向Ｒ２に回転する。これによりローラ対３３Ｃは、搬出回転モードＭ２（図５（Ｂ））で回転する。
【００６２】
このように紙幣入出金機１０は、一時保留切替部２０のローラ対３３Ａ及び３３Ｂに対し、前モータ４１の駆動力を前駆動伝達部４３により伝達する一方、ローラ対３３Ｃに対し、後モータ４２の駆動力を後駆動伝達部４４により伝達する。これにより一時保留切替部２０は、ローラ対３３Ａ及び３３Ｂを互いに異なる回転モードで回転させ、さらにローラ対３３Ｃをこのローラ対３３Ａ及び３３Ｂとは独立した回転モードで回転させることができる。
【００６３】
［１−４．紙幣の搬送］
次に、現金自動預払機１により利用者（金融機関の顧客）との間で入金取引及び出金取引が行われる場合における、紙幣入出金機１０内での入金処理及び出金処理について説明する。このうち入金処理については、前段の入金計数処理と、後段の入金収納処理に分けて説明する。
【００６４】
［１−４−１．入金計数処理］
紙幣入出金機１０は、入金処理において、紙幣制御部１１の制御に基づき、先に入金された紙幣の金種等を鑑別しながら枚数を計数する入金計数処理を行い、次に紙幣を適切な収納箇所へ搬送して収納する入金収納処理を行うようになっている。
【００６５】
具体的に紙幣制御部１１は、例えば顧客により操作表示部６（図１）を介して入金処理を開始する旨の操作入力を受け付けると、入金計数処理を開始し、入出金部１２のシャッタ１２Ｂを開いて収容器１２Ａ内へ紙幣を投入させる。次に紙幣制御部１１は、操作表示部６を介して紙幣の取り込みを開始する操作入力を受け付けると、シャッタ１２Ｂを閉じ、取込放出部１２Ｃを取込モードで動作させて収容器１２Ａ内の紙幣を１枚ずつに分離して取り込み、搬送部１３の前搬送部２１へ順次受け渡す。
【００６６】
前搬送部２１は、図８に示す矢印Ｑ１及びＱ２のように、入出金部１２から受け渡された紙幣をリジェクト切替部２４により後方へ順次搬送し、前搬送路２１Ｗに沿って後方へ進行させながら、鑑別部１４により各紙幣を順次鑑別し、後側の一時保留切替部２０へ順次受け渡す。このとき鑑別部１４は、得られた鑑別結果を紙幣制御部１１へ送出する。
【００６７】
紙幣制御部１１は、取得した鑑別結果を基に、各紙幣における損傷の程度や金種、或いは真偽を判断する。次に紙幣制御部１１は、各紙幣について、正常な紙幣として認識できた場合は以降の処理を継続できる入金受入紙幣であると判断し、正常な紙幣として認識できない場合は、一度顧客に返却すべき入金リジェクト紙幣であると判断する。さらに紙幣制御部１１は、入金受入紙幣について、正常であり再利用可能な紙幣については金種ごとの各紙幣収納庫１６を、損傷の程度が大きいリジェクト紙幣についてはリジェクト庫１７を、それぞれ最終的な搬送先として決定する。
【００６８】
続いて紙幣制御部１１は、搬送部１３の一時保留切替部２０、前モータ４１及び後モータ４２を制御することにより、紙幣ごとの鑑別結果に応じてその搬送経路を切り替える。具体的に紙幣制御部１１は、図７（Ａ）に示したように、前モータ４１を時計方向Ｒ１に回転させると共に、後モータ４２を反時計方向Ｒ２に回転させる。これにより一時保留切替部２０は、図６（Ａ）に示したように、ローラ対３３Ａを搬入回転モードＭ１で回転させると共に、ローラ対３３Ｂ及び３３Ｃを搬出回転モードＭ２で回転させる。
【００６９】
この状態で紙幣制御部１１は、前搬送部２１から一時保留切替部２０へ引き渡される紙幣の判断結果（すなわち入金受入紙幣又は入金リジェクト紙幣の何れであるか）に応じて、ブレード３１を回動させて紙幣の搬送先を切り替える。具体的に紙幣制御部１１は、紙幣が入金受入紙幣であれば、図６（Ａ）の矢印Ｕ１及び図８の矢印Ｑ１のように、後上側の搬送路３４Ｋを介して一時保留部１５へ進行させて収納させる。また紙幣制御部１１は、紙幣が入金リジェクト紙幣であれば、図６（Ａ）の矢印Ｕ２及び図８の矢印Ｑ２により示すように、後下側の搬送路３４Ｌを介して後搬送部２２内へ進行させ、さらに後搬送路２２Ｗ内に貯留させる。
【００７０】
やがて紙幣制御部１１は、入出金部１２の収容器１２Ａから全ての紙幣を取り込み終えると、後搬送部２２の後搬送路２２Ｗ内に入金リジェクト紙幣が貯留されていれば、これを顧客に返却する。具体的に紙幣制御部１１は、前モータ４１を反時計方向Ｒ２に回転させると共に、後モータ４２を時計方向Ｒ１に回転させることにより、図６（Ｃ）に示したように、一時保留切替部２０のローラ対３３Ｃを搬入回転モードＭ１で回転させると共に、ローラ対３３Ａを搬出回転モードＭ２で回転させる。これにより紙幣制御部１１は、紙幣を前搬送部２１経由で入出金部１２へ搬送して顧客に返却し、紙幣の状態を確認させ、必要に応じて再投入させる。
【００７１】
一方、紙幣制御部１１は、後搬送部２２の後搬送路２２Ｗ内に入金リジェクト紙幣が貯留されていなければ、入金計数処理を完了する。このとき紙幣制御部１１は、入出金部１２から取り込んだ紙幣の金種及び枚数の集計結果を基に入金額を算出すると共に、所定の操作指示画面を操作表示部６に表示し、この入金額を顧客に提示すると共に入金処理を継続するか否かを顧客に選択させる。
【００７２】
ここで紙幣制御部１１は、顧客により入金処理の中止が指示された場合、一時保留部１５に保留している全ての紙幣を顧客に返却する。具体的に紙幣制御部１１は、図７（Ｂ）に示したように前モータ４１を反時計方向Ｒ２に回転させることにより、図６（Ｂ）に示したように、一時保留切替部２０のローラ対３３Ｂを搬入回転モードＭ１で回転させると共に、ローラ対３３Ａを搬出回転モードＭ２で回転させる。この状態で紙幣制御部１１は、一時保留部１５から紙幣を順次繰り出させ、一時保留切替部２０により前搬送部２１へ進行させ、当該前搬送部２１により搬送して入出金部１２の収容器１２Ａ内へ戻し、その後シャッタ１２Ｂを開放することにより顧客に返却する。
【００７３】
このように紙幣入出金機１０は、入金計数処理において、前モータ４１を時計方向Ｒ１に回転させると共に、後モータ４２を反時計方向Ｒ２に回転させる。これにより一時保留切替部２０は、ローラ対３３Ａを搬入回転モードＭ１で回転させると共に、ローラ対３３Ｂ及び３３Ｃを搬出回転モードＭ２で回転させた状態で、ブレード３１の回動により紙幣の搬送先を切り替えるようになっている。
【００７４】
［１−４−２．入金収納処理］
紙幣制御部１１は、顧客により入金処理の継続が指示された場合、入金収納処理を開始する。具体的に紙幣制御部１１は、まず図７（Ｂ）に示したように、前モータ４１及び後モータ４２の双方を反時計方向Ｒ２に回転させる。これにより一時保留切替部２０は、図６（Ｂ）に示したように、ローラ対３３Ｂを搬入回転モードＭ１で回転させると共に、ローラ対３３Ａ及び３３Ｃを搬出回転モードＭ２で回転させる。また紙幣制御部１１は、一時保留部１５において操出処理を開始し、図９の矢印Ｑ３及びＱ４により示すように、収納している紙幣（入金受入紙幣）を順次繰り出し、一時保留切替部２０へ受け渡す。
【００７５】
このとき紙幣制御部１１は、入金計数処理において決定された紙幣毎の搬送先に応じて、一時保留切替部２０のブレード３１を回動させ、当該紙幣の搬送経路を切り替える。具体的に一時保留切替部２０は、紙幣の搬送先がリジェクト庫１７又は紙幣収納庫１６Ｅであれば、図６（Ｂ）の矢印Ｕ３及び図９の矢印Ｑ３のように、当該紙幣を下流の前搬送部２１へ受け渡す。また一時保留切替部２０は、紙幣の搬送先が紙幣収納庫１６Ａ〜１６Ｄであれば、図６（Ｂ）の矢印Ｕ４及び図９の矢印Ｑ４のように、当該紙幣を下流の後搬送部２２へ受け渡す。
【００７６】
さらに紙幣制御部１１は、各紙幣の搬送先に応じて前搬送部２１及び後搬送部２２の各切替部を適宜制御することにより、当該紙幣を当該搬送先に搬送してそれぞれ収納させる。これにより紙幣制御部１１は、再利用すべき通常の紙幣を金種ごとに分類して各紙幣収納庫１６に収納でき、また再利用すべきで無いリジェクト紙幣をリジェクト庫１７に収納できる。
【００７７】
このように紙幣入出金機１０は、入金収納処理において、前モータ４１及び後モータ４２の双方を反時計方向Ｒ２に回転させる。これにより一時保留切替部２０は、ローラ対３３Ｂを搬入回転モードＭ１で回転させると共に、ローラ対３３Ａ及び３３Ｃを搬出回転モードＭ２で回転させた状態で、ブレード３１の回動により紙幣の搬送先を切り替えるようになっている。
【００７８】
［１−４−３．出金処理］
紙幣入出金機１０は、出金処理において、紙幣制御部１１の制御に基づき、指定された金額に応じた金種及び枚数の紙幣を出金する出金処理を行うようになっている。以下では、紙幣収納庫１６Ａ〜１６Ｄに収納されている紙幣を出金する場合を例に説明する。
【００７９】
具体的に紙幣制御部１１は、まず顧客から操作表示部６（図１）を介して出金額を含む所定の操作入力を受け付け、出金額に応じた紙幣の金種及び枚数を決定する。続いて紙幣制御部１１は、決定した金種及び枚数に応じて、各紙幣収納庫１６内に収納されている紙幣を順次繰り出し、後搬送部２２に順次受け渡す。
【００８０】
このとき紙幣制御部１１は、前モータ４１を反時計方向Ｒ２に回転させると共に後モータ４２を時計方向Ｒ１に回転させる。これにより一時保留切替部２０は、図６（Ｃ）に示したように、ローラ対３３Ｃを搬入回転モードＭ１で回転させると共に、ローラ対３３Ａを搬出回転モードＭ２で回転させる。この状態で紙幣制御部１１は、後搬送部２２の各切替部を適宜切り替えながら紙幣を前方へ搬送し、図６（Ｃ）の矢印Ｕ５及び図１０の矢印Ｑ５のように、一時保留切替部２０を介して前搬送部２１に受け渡す。
【００８１】
次に紙幣制御部１１は、前搬送部２１内を前方へ向けて進行する紙幣の走行状態を鑑別部１４により鑑別し、その鑑別結果を紙幣制御部１１（図２）へ送出する。紙幣制御部１１は、紙幣の走行状態に応じてリジェクト切替部２４を切り替え、当該走行状態に問題が無ければ入出金部１２へ進行させ、例えば重送のように搬送状態に問題があればリジェクト庫１７へ進行させて、それぞれ紙幣を収納させる。
【００８２】
やがて紙幣制御部１１は、出金額に応じた全ての紙幣を入出金部１２の収容器１２Ａ内に放出し終えると、シャッタ１２Ｂを開放させて顧客に当該紙幣を取り出させる。
【００８３】
このように紙幣入出金機１０は、出金処理において、前モータ４１を反時計方向Ｒ２に回転させると共に、後モータ４２を時計方向Ｒ１に回転させる。これにより一時保留切替部２０は、ローラ対３３Ｃを搬入回転モードＭ１で回転させると共に、ローラ対３３Ａを搬出回転モードＭ２で回転させた状態で、紙幣を後搬送部２２から前搬送部２１へ進行させるようになっている。
【００８４】
［１−５．動作及び効果］
以上の構成において、第１の実施の形態による現金自動預払機１の紙幣入出金機１０は、搬送部１３の一時保留切替部２０に設けるローラ対３３Ａ及び３３Ｂに対し同一の前モータ４１から駆動力を供給する一方、ローラ対３３Ｃに対し後モータ４２から駆動力を供給するようにした。
【００８５】
一時保留切替部２０は、入金計数処理において、搬送元に近いローラ対３３Ａを搬入回転モードＭ１で回転させる一方、搬送先に近いローラ対３３Ｂ及び３３Ｃを搬出回転モードＭ２で回転させる（図６（Ａ））。これにより一時保留切替部２０は、各ローラ対３３の回転方向を一定に保ったまま、ブレード３１を比較的狭い角度範囲で僅かに回動させるだけで、紙幣の進行先を一時保留部１５又は後搬送部２２に、極めて短時間で切り替えることができる。すなわち一時保留切替部２０は、紙幣制御部１１の制御に基づき、搬送元である前搬送部２１から順次高速に搬送されてくる紙幣を、それぞれ決定された搬送先に応じて高速に振り分けることができる。
【００８６】
また一時保留切替部２０は、入金収納処理において、搬送元に近いローラ対３３Ｂを搬入回転モードＭ１で回転させる一方、搬送先に近いローラ対３３Ａ及び３３Ｃを搬出回転モードＭ２で回転させる（図６（Ｂ））。これにより一時保留切替部２０は、やはり各ローラ対３３の回転方向を一定に保ったまま、ブレード３１を僅かに回動させるだけで、紙幣の進行先を前搬送部２１又は後搬送部２２に、極めて短時間で切り替えることができる。すなわち一時保留切替部２０は、紙幣制御部１１の制御に基づき、搬送元である一時保留部１５から順次繰り出されて高速に搬送されてくる紙幣を、それぞれ決定された搬送先に応じて高速に振り分けることができる。
【００８７】
すなわち一時保留切替部２０は、前モータ４１から前駆動伝達部４３によりローラ対３３Ａ及び３３Ｂの双方に駆動力を伝達する。このためローラ対３３Ａ及び３３Ｂの回転モード（搬入回転モードＭ１又は搬出回転モードＭ２）は、互いに相違する組み合わせに限られる。しかしながら一時保留切替部２０は、入金計数処理及び入金収納処理の何れにおいても、ローラ対３３Ａ及び３３Ｂの回転モードを互いに相違させれば良いため、それぞれの回転方向を保ったまま、紙幣の搬送先を高速に切り替えることができる。
【００８８】
これにより紙幣入出金機１０は、搬送部１３における一時保留切替部２０のローラ対３３Ａ、３３Ｂ及び３３Ｃを全て１個のモータにより駆動する場合と比較して、搬送元及び搬送先の組み合わせを変更することが可能となり、入金計数処理及び入金収納処理の何れにも対応することができる。また紙幣入出金機１０は、ローラ対３３Ａ、３３Ｂ及び３３Ｃをそれぞれ独立したモータにより駆動する場合と比較して、必要なモータの数を削減することができるので、その構成を簡素化でき、製造コストの低廉化や保守作業の発生頻度の低減化に繋げることができる。すなわち紙幣入出金機１０は、紙幣の搬送元及び搬送先がそれぞれ異なる入金計数処理及び入金収納処理への対応と、構成の簡素化による製造コストの低廉化等とを高い次元で両立させることができる。
【００８９】
また他の観点から見れば、一時保留切替部２０は、入金計数処理において矢印Ｕ１（図６（Ａ））に沿って紙幣を搬送する場合及び入金収納処理において矢印Ｕ３（図６（Ｂ））に沿って紙幣を搬送する場合の何れにおいても、搬送ガイド３２Ａに沿って紙幣を進行させている。すなわち一時保留切替部２０は、この搬送ガイド３２Ａを挟むように配置されたローラ対３３Ａ及び３３Ｂについては、入金計数処理及び入金収納処理の何れにおいても、必ず何れか一方を搬入回転モードＭ１で回転させ、他方を搬出回転モードＭ２で回転させることになる。
【００９０】
このため紙幣入出金機１０は、前モータ４１から前駆動伝達部４３によりローラ対３３Ａ及び３３Ｂに駆動力を伝達する場合に、それぞれの回転モードを相違させることで、入金計数処理及び入金収納処理の双方において、一時保留切替部２０により紙幣を高速に振り分けることができる。
【００９１】
さらに搬送部１３は、前駆動伝達部４３により、前モータ４１からの駆動力を、一時保留切替部２０のローラ対３３Ａ及び３３Ｂに加えて、前搬送部２１内の各ローラ及び一時保留部１５内のローラ対１５Ｒにも伝達するようにした（図７（Ａ））。また搬送部１３は、後駆動伝達部４４により、後モータ４２からの駆動力を、一時保留切替部２０のローラ対３３Ｃに加えて、後搬送部２２内の各ローラにも伝達するようにした（図７（Ｂ））。
【００９２】
これにより紙幣入出金機１０は、少ない数のモータにより、紙幣の搬送に必要なローラを効率良く回転させることができる。また紙幣入出金機１０は、敢えて前搬送部２１内の各ローラと後搬送部２２内の各ローラに対し、互いに異なるモータから駆動力をそれぞれ伝達するため、両者を互いに独立して制御することができる。例えば紙幣入出金機１０は、入金計数処理において、前モータ４１を一定の回転速度で回転させる一方、後モータ４２を間欠的に回転させることもできる。これにより紙幣入出金機１０は、前搬送部２１内の各ローラ並びに一時保留切替部２０のローラ対３３Ａ及び３３Ｂを一定の速度で回転させて入金受入紙幣を一時保留部１５に順次収納させる一方、入金リジェクト紙幣が発生した場合のみ後モータ４２を回転させ、後搬送部２２の後搬送路２２Ｗ内に紙幣の間隔を詰めながら貯留していくことができる。
【００９３】
その一方で一時保留切替部２０は、紙幣の搬送先を高速に切り替える必要が無い場合には、ローラ対３３Ａ、３３Ｂ及び３３Ｃのうち必要なもののみを、紙幣の進行経路に応じた回転モードで回転させることができる。例えば一時保留切替部２０は、図６（Ｃ）に示したように、ローラ対３３Ｃを搬入回転モードＭ１で回転させ、ローラ対３３Ａを搬出回転モードＭ２で回転させることにより、矢印Ｕ５に沿って紙幣を常に前搬送部２１へ搬送する。この場合、一時保留切替部２０は、ローラ対３３Ｂを搬入回転モードＭ１で回転させることになるものの、紙幣を一時保留部１５へ搬送する必要が無いため、何ら問題とならない。
【００９４】
以上の構成によれば、現金自動預払機１の紙幣入出金機１０は、搬送部１３の一時保留切替部２０に設けるローラ対３３Ａ及び３３Ｂに対し同一の前モータ４１から駆動力を供給する一方、ローラ対３３Ｃに対し後モータ４２から駆動力を供給するようにした。このため一時保留切替部２０は、入金計数処理及び入金収納処理の何れにおいても、各ローラ対３３の回転を維持したままブレード３１を狭い角度範囲で回動させるだけで、紙幣の搬送先を高速に切り替えることができる。これにより紙幣入出金機１０は、一時保留切替部２０における搬送元及び搬送先の組み合わせを変更することができ、且つその構成の簡素化やコストの低廉化を図ることができる。
【００９５】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２）は、紙幣入出金機１０と比較して、搬送部１３に代わる搬送部１１３を有する点において相違するものの、他の点については同様に構成されている。
【００９６】
搬送部１１３（図３）は、搬送部１３と比較して、一時保留切替部２０に代わる一時保留切替部１２０を有する点において相違するものの、他の点については同様に構成されている。一時保留切替部１２０は、図６（Ａ）及び（Ｂ）と対応する図１１（Ａ）及び（Ｂ）に示すように、第１の実施の形態による一時保留切替部２０と比較して、ローラ３３Ａ１及びローラ３３Ｂ２（図４）に代わるドラムローラ１３３を有する点において相違するものの、他の点については同様に構成されている。
【００９７】
ドラムローラ１３３は、ローラ３３Ａ１及び３３Ｂ２と比較して半径が大きい円柱状ないし円板状に形成されており、その周側面の一部が搬送ガイド３２Ａに沿った曲面となっている。ドラムローラ１３３は、一時保留切替部２０（図４等）のローラ３３Ａ１及び３３Ｂ２が当接していた箇所において、ローラ３３Ａ２及び３３Ｂ１とそれぞれ当接している。このドラムローラ１３３は、駆動力が伝達されることにより、時計方向Ｒ１又は反時計方向Ｒ２へ回転するようになっている。
【００９８】
このためドラムローラ１３３は、ローラ３３Ａ２に対する当接部分の近傍において、当該ローラ３３Ａ２との組み合わせにより、第１の実施の形態におけるローラ対３３Ａと同様に紙幣を挟持して駆動力を伝達することができる。以下では、説明の便宜上、ドラムローラ１３３におけるローラ３３Ａ２に対する当接部分の近傍と、当該ローラ３３Ａ２とをまとめてローラ対１３３Ａとも呼ぶ。
【００９９】
またドラムローラ１３３は、ローラ３３Ｂ１に対する当接部分の近傍において、当該ローラ３３Ｂ１との組み合わせにより、第１の実施の形態におけるローラ対３３Ｂと同様に紙幣を挟持して駆動力を伝達することができる。以下では、説明の便宜上、ドラムローラ１３３におけるローラ３３Ｂ１との当接部分の近傍と、当該ローラ３３Ｂ２とをまとめてローラ対１３３Ｂとも呼ぶ。
【０１００】
このように一時保留切替部１２０は、半径が大きいドラムローラ１３３の一部をローラ３３Ａ２及び３３Ｂ１と当接させることにより、第１の実施の形態におけるローラ対３３Ａ及び３３Ｂに相当するローラ対１３３Ａ及び１３３Ｂを形成している。
【０１０１】
この一時保留切替部１２０では、ドラムローラ１３３の構造上、ローラ対１３３Ａ及び１３３Ｂの回転モードを常に相違させることになる。例えば図１１（Ａ）に示したように、ドラムローラ１３３が時計方向Ｒ１に回転する場合、ローラ対１３３Ａが搬入回転モードＭ１で回転し、ローラ対１３３Ｂが搬出回転モードＭ２で回転することになる。一時保留切替部１２０は、さらにローラ対３３Ｃを搬出回転モードＭ２で回転させた状態で、ブレード３１の傾斜角度を適宜変化させることにより、第１の実施の形態と同様、矢印Ｕ１又はＵ２のように、紙幣の搬送先を切り替えることができる。
【０１０２】
また図１１（Ｂ）に示したように、ドラムローラ１３３が反時計方向Ｒ２に回転する場合、ローラ対１３３Ｂが搬入回転モードＭ１で回転し、ローラ対１３３Ａが搬出回転モードＭ２で回転することになる。一時保留切替部１２０は、さらにローラ対３３Ｃを搬出回転モードＭ２で回転させた状態で、ブレード３１の傾斜角度を適宜変化させることにより、第１の実施の形態と同様、矢印Ｕ３又はＵ４のように、紙幣の搬送先を切り替えることができる。
【０１０３】
ところで紙幣入出金機１１０は、図７（Ａ）及び（Ｂ）とそれぞれ対応する図１２（Ａ）及び（Ｂ）に示すように、前駆動伝達部４３に代わる前駆動伝達部１４３を有している。前駆動伝達部１４３は、前駆動伝達部４３と同様、複数のローラ、ギア及びベルト等の組み合わせにより構成されており、前モータ４１により発生した駆動力を、前搬送部２１内の各ローラ、鑑別部１４内の各ローラ、及び一時保留部１５のローラ１５Ｒ１にそれぞれ伝達する。ただし前駆動伝達部１４３は、一時保留切替部１２０に対し、ドラムローラ１３３のみに駆動力を伝達する。
【０１０４】
具体的に紙幣入出金機１１０では、図１２（Ａ）に示したように、前モータ４１が時計方向Ｒ１に回転する場合、一時保留切替部１２０のドラムローラ１３３が時計方向Ｒ１に回転する。これにより一時保留切替部１２０では、図１１（Ａ）に示したように、ローラ対１３３Ａが搬入回転モードＭ１で回転し、ローラ対１３３Ｂが搬出回転モードＭ２で回転する。また紙幣入出金機１１０では、図１２（Ｂ）に示したように、前モータ４１が反時計方向Ｒ２に回転する場合、一時保留切替部１２０のドラムローラ１３３が反時計方向Ｒ２に回転する。これにより一時保留切替部１２０では、図１１（Ｂ）に示したように、ローラ対１３３Ｂが搬入回転モードＭ１で回転し、ローラ対１３３Ａが搬出回転モードＭ２で回転する。
【０１０５】
かかる構成により一時保留切替部１２０は、第１の実施の形態における一時保留切替部２０と同様に紙幣の進行方向を切り替えることができる。例えば一時保留切替部１２０は、入金計数処理において、ローラ対１３３Ａを搬入回転モードＭ１で回転させると共に、ローラ対１３３Ｂ及び３３Ｃを搬出回転モードＭ２で回転させた状態で、ブレード３１を僅かな角度範囲で高速に回動させる。これにより一時保留切替部１２０は、前搬送部２１から順次搬送されてくる紙幣の搬送先を、一時保留部１５又は後搬送部２２に高速に切り替えることができる。また一時保留切替部１２０は、入金収納処理において、ローラ対１３３Ｂを搬入回転モードＭ１で回転させると共に、ローラ対１３３Ａ及び３３Ｃを搬出回転モードＭ２で回転させた状態で、ブレード３１を僅かな角度範囲で高速に回動させる。これにより一時保留切替部１２０は、一時保留部１５から順次搬送されてくる紙幣の搬送先を、前搬送部２１又は後搬送部２２に高速に切り替えることができる。
【０１０６】
また紙幣入出金機１１０は、その他の点においても、第１の実施の形態による紙幣入出金機１０と同様の作用効果を奏し得る。
【０１０７】
以上の構成によれば、現金自動預払機１０１の紙幣入出金機１１０は、搬送部１１３の一時保留切替部１２０に設けるドラムローラ１３３の一部を利用してローラ対１３３Ａ及び１３３Ｂを構成すると共に、前モータ４１から当該ドラムローラ１３３に駆動力を供給するようにした。このため一時保留切替部１２０は、入金計数処理及び入金収納処理の何れにおいても、ローラ対１３３Ａ、１３３Ｂ及び３３Ｃそれぞれの回転を維持したままブレード３１を狭い角度範囲で回動させるだけで、紙幣の搬送先を高速に切り替えることができる。これにより紙幣入出金機１１０は、一時保留切替部１２０のローラ対１３３Ａ、１３３Ｂ及び３３Ｃを最小限のモータにより必要な組み合わせの回転モードで回転させることができるので、その構成の簡素化やコストの低廉化を図ることができる。
【０１０８】
［３．他の実施の形態］
なお上述した第１の実施の形態においては、一時保留切替部２０の搬送路３４Ｊを前搬送部２１に、搬送路３４Ｋを一時保留部１５に、搬送路３４Ｌを後搬送部２２にそれぞれ接続し、入金計数処理及び入金収納処理において搬送路３４Ｊ及び３４Ｋがそれぞれ搬送元となる場合に、紙幣の搬送先を高速に切り替える場合について述べた。しかしながら本発明はこれに限らず、何れを搬送元としても良い。要は、３本の搬送路３４のうち２本をそれぞれ搬送元とする場合に、各ローラ対を一定の回転方向に回転させた状態のまま、ブレード３１の回転により紙幣の搬送先を高速に切り替えることができれば良い。この場合、それぞれの場合で搬送元となる箇所に近いローラ対同士（例えばローラ対３３Ａ及び３３Ｂ）に同一の駆動部から駆動力を伝達することで、何れか一方を搬入回転モードＭ１とし、他方を搬出回転モードＭ２とすれば良い。第２の実施の形態についても同様である。
【０１０９】
また上述した第１の実施の形態においては、前駆動伝達部４３により前モータ４１の駆動力を一時保留切替部２０のローラ３３Ａ１及び３３Ｂ１に加えて、前搬送部２１内の各ローラ、鑑別部１４内の各ローラ、並びに一時保留部１５のローラ１５Ｒ１にそれぞれ伝達する場合について述べた。しかしながら本発明はこれに限らず、例えば前モータ４１の駆動力を一時保留切替部２０のローラ３３Ａ１及び３３Ｂ１のみに伝達し、前搬送部２１内の各ローラ等に対し他のモータから駆動力を伝達するようにしても良い。これにより、紙幣入出金機１０内に設けられた多数のローラ等をきめ細かく駆動させることができる。
後駆動伝達部４４についても同様であり、また第２の実施の形態についても同様である。
【０１１０】
さらに上述した第２の実施の形態においては、ローラ３３Ａ１等よりも半径が大きいドラムローラ１３３の一部とローラ３３Ａ１及び３３Ｂ２とをそれぞれ組み合わせてローラ対１３３Ａ及び１３３Ｂとする場合について述べた。しかしながら本発明はこれに限らず、例えば一時保留切替部１２０内に搬送ガイド３２Ａに沿って走行するベルトを掛け回し、このベルトの一部とローラ３３Ａ１及び３３Ｂ２とをそれぞれ組み合わせてローラ対としても良い。要は、第１の実施の形態におけるローラ３３Ａ２及び３３Ｂ１に代えて、
搬送ガイド３２Ａに沿って紙幣を進行させる種々の機構を設け、この機構の一部とローラ３３Ａ１及び３３Ｂ２とをそれぞれ組み合わせてローラ対とすることができる。
【０１１１】
さらに上述した第１の実施の形態においては、金融機関の顧客である利用者との間で紙幣に関する取引処理を行う現金自動預払機１に本発明を適用する場合について述べた。しかしながら本発明はこれに限らず、例えば金融機関の窓口等に設置され、主に金融機関の職員である利用者との間で紙幣を授受する紙幣処理装置（いわゆるテラーマシン）等、紙幣を取り扱う種々の装置において、搬送路を切り替える切替部に本発明を適用しても良い。さらには、例えば各種金券や証券、或いは入場券や葉書等、紙葉状の媒体を取り扱う種々の装置において、この媒体の搬送路を切り替える切替部に本発明を適用しても良い。第２の実施の形態についても同様である。
【０１１２】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１３】
さらに上述した第１の実施の形態においては、搬送ガイドとしての搬送ガイド３２Ａ、３２Ｂ及び３２Ｃと、ブレードとしてのブレード３１と、第１ローラ対、第２ローラ対及び第３ローラ対としてのローラ対３３Ａ、３３Ｂ及び３３Ｃと、第１駆動部としての前モータ４１及び前駆動伝達部４３と、第２駆動部としての後モータ４２及び後駆動伝達部４４とによって搬送路切替装置としての搬送部１３を構成する場合について述べた。しかしながら本発明はこれに限らず、その他種々の構成でなる搬送ガイドと、ブレードと、第１ローラ対、第２ローラ対及び第３ローラ対と、第１駆動部と、第２駆動部とによって搬送路切替装置を構成しても良い。
【産業上の利用可能性】
【０１１４】
本発明は、紙幣のような紙葉状の媒体の搬送路を切り替える切替部でも利用できる。
【符号の説明】
【０１１５】
１、１０１……現金自動預払機、１０、１１０……紙幣入出金機、１１……紙幣制御部、１２……入出金部、１３、１１３……搬送部、１４……鑑別部、１５……一時保留部、１５Ｗ……一時保留搬送路、１６……紙幣収納庫、１７……リジェクト庫、２０、１２０……一時保留切替部、２１……前搬送部、２１Ｗ……前搬送路、２２……後搬送部、２２Ｗ……後搬送路、３１……ブレード、３２、３２Ａ、３２Ｂ、３２Ｃ……搬送ガイド、３２Ａ……搬送ガイド、３２Ｂ……搬送ガイド、３３、３３Ａ、３３Ｂ、３３Ｃ、１３３Ａ、１３３Ｂ……ローラ対、３３Ａ１、３３Ａ２、３３Ｂ１、３３Ｂ２、３３Ｃ１、３３Ｃ２……ローラ、３４、３４Ｊ、３４Ｋ、３４Ｌ……搬送路、４１……前モータ、４２……後モータ、４３、１４３……前駆動伝達部、４４……後駆動伝達部、１３３……ドラムローラ、１４３……前駆動伝達部、Ｍ１……搬入回転モード、Ｍ２……搬出回転モード。
【図１】
0006380039.tif 000002
【図２】
0006380039.tif 000003
【図３】
0006380039.tif 000004
【図４】
0006380039.tif 000005
【図５】
0006380039.tif 000006
【図６】
0006380039.tif 000007
【図７】
0006380039.tif 000008
【図８】
0006380039.tif 000009
【図９】
0006380039.tif 000010
【図１０】
0006380039.tif 000011
【図１１】
0006380039.tif 000012
【図１２】
0006380039.tif 000013